(57)【要約】【課題】  バックセットを小さくすることが可能で奥行の少ない縦框を有する引戸にも適用することが可能であるばかりか、施解錠動作も滑らかでスライダ釦の移動も軽やかとなり、加えて構造も複雑でなく、別途に鎌のストッパ機構を設ける必要もなく、更に、鎌を突出させた状態で誤って引戸を閉めたとしても鎌や柱を損傷する心配をなくす。【解決手段】  先端に形成した鎌部４２を錠ケース２の前板２２に形成した出没溝２３から出没自在に装着されている鎌部材４と、基端部が鎌部材４の基端部における回転軸３の固着部よりも先端側に軸着されているともに先端部が錠ケース２の側板２１，２１間に対向して形成された所定長さのスライド溝に架設されたスライド軸５１に連結されて鎌部材４とともにスライダクランク機構５を形成するスライドアーム５２とを有する。【選択図】  図６
2006009297.tif 000002
【特許請求の範囲】
【請求項１】
少なくとも取り付ける引戸の縦框内に形成される空間に収装可能な縦長箱状の錠ケースと、前記錠ケースの互いに対向して配置される側板間の奥方に配置される回転軸に基端部が固着されているとともに先端に形成した鎌部を前記錠ケースの前板に形成した出没溝から出没自在に装着されている鎌部材と、基端部が前記鎌部材の基端部における前記回転軸の固着部よりも先端側に軸着されているともに先端部が前記錠ケースの側板間に対向して形成された所定長さのスライド溝に架設されたスライド軸に連結されて前記鎌部材とともにスライダクランク機構を形成するスライドアームと、前記スライド軸に嵌装された前記錠ケースの後板に設置した板ばねからなる位置決め装置とを有することを特徴とする引戸用の鎌錠。
【発明の詳細な説明】
【技術分野】
【０００１】
本発明は、引戸用の鎌錠、殊に、框扉の縦框部分に収装可能でスライダ機構により鎌を出没させる構成の引戸用の鎌錠に関するものである。
【背景技術】
【０００２】
従来、ガラスサッシ戸などのような框戸状の引戸が使用されており、これらの引戸用の鎌錠において特に縦框内に収装させるものとしてスライダ機構を有する施解錠装置を用いたものが使用されており、例えば、実開昭５２−１０１６９３号公報、実開昭５９−１０２７６８号公報、実開平７−３２１４３号公報などに提示されている。
【０００３】
ところが、前記これらの公報に提示されている引戸用の鎌錠は、いずれも回転動作によりケースから出没させる鎌を支える支点の部分を出没方向に移動させる動作を加えることにより行うものである。
【０００４】
従って、バックセットを小さくすることが困難であり、また、施解錠のときに鎌が支軸を中心として回転するだけでなく、主として出没方向に移動する構成であることから施解錠動作が滑らかでなくスライダ釦の移動も軽やかとならず、加えて構造も複雑となり、更に、鎌のストッパ機構を別途に設ける必要があるものもあり、更に、鎌を突出させた状態で引戸を閉めると突出している鎌が柱などの戸当たりに衝って錠や柱等が損傷する等の心配もある。
【特許文献１】実開昭５２−１０１６９３号公報
【特許文献２】実開昭５９−１０２７６８号公報
【特許文献３】実開平７−３２１４３号公報
【発明の開示】
【発明が解決しようとする課題】
【０００５】
本発明が解決しようとする課題は、バックセットを小さくすることが可能で奥行の少ない縦框を有する引戸にも適用することが可能であるばかりか、施解錠動作も滑らかでスライダ釦の移動も軽やかとなり、加えて構造も複雑でなく、別途に鎌のストッパ機構を設ける必要もなく、更に、鎌を突出させた状態で誤って引戸を閉めたとしても鎌や柱を損傷する心配のない引戸用の鎌錠を提供するものである。
【課題を解決するための手段】
【０００６】
前記課題を解決するため、本発明である引戸用の鎌錠は、少なくとも取り付ける引戸の縦框内に形成される空間に収装可能な縦長箱状の錠ケースと、前記錠ケースの互いに対向して配置される側板間の奥方に配置される回転軸に基端部が固着されているとともに先端に形成した鎌部を前記錠ケースの前板に形成した出没溝から出没自在に装着されている鎌部材と、基端部が前記鎌部材の基端部における前記回転軸の固着部よりも先端側に軸着されているともに先端部が前記錠ケースの側板間に対向して形成された所定長さのスライド溝に架設されたスライド軸に連結されて前記鎌部材とともにスライダクランク機構を形成するスライドアームと、前記スライド軸に嵌装された前記錠ケースの後板に設置した板ばねからなる位置決め装置とを有することを特徴とする。
【０００７】
また、前記錠ケースにおける前板の長さ方向の両端部に引戸を構成する縦框に収装したときに錠ケースを縦框に固定するための取付片がそれぞれ設けられているとともに前記縦框の両側板に架設したそれぞれ配置されるスライド部材のスライド摘みの間に架設した連結軸の挿通孔が前記スライド軸を有することにより、引戸の縦框部分にきわめて容易に収装配置することができる。
【発明の効果】
【０００８】
本発明によれば、きわめて簡単な構成で、奥行の少ない縦框を有する引戸にも適用することが可能であるばかりか、施解錠動作も滑らかでスライダ釦の移動も軽やかとなり、別途に鎌のストッパ機構を設ける必要もなく、更に、鎌を突出させた状態で誤って引戸を閉めたとしても鎌や柱を損傷する心配もない。
【発明を実施するための最良の形態】
【０００９】
次に、本発明を実施するための最良の形態について説明する。
【００１０】
図１乃至図４は本発明の好ましい実施の形態を示すものであり、本発明である鎌錠１は、後述する引戸の縦框内に形成される空間に収装可能な縦長箱状の錠ケース２の互いに対向して配置される側板２１，２１間の奥方に配置される回転軸３に基端部４１が固着されているとともに、前記回転軸３を中心に回動させることにより先端に形成した鎌部４２を錠ケース２の前板２２に形成した出没溝２３から出没させるように鎌部材４が装着されている。
【００１１】
また、鎌部材４の基端部における回転軸３の固着部に対して前方且つ下方に偏心した位置に形成した膨出部４３の両面に支軸４４，４４が対向して突設されており、前記錠ケース２の互いに対向して配置される側板２１，２１の前記回転軸３と長手方向の対向位置には、長さ方向に延びる長孔状のスライド溝２４，２４が形成されているとともに、これら長孔２４，２４には中空のスライド軸５１がスライド溝２４，２４内にそれぞれ長手方向にスライド可能に架設されている。
【００１２】
更に、前記鎌部材４の基端部における支軸４４，４４とスライド軸５１との間には互いに平行に配置された一対のスライドアーム５２，５２がそれぞれ回動可能に架設されて前記鎌部材４とともにスライダクランク機構５を形成している。尚、スライド軸５１にはスライドアーム５２，５２を平行に保つためのリング５３が嵌装されており、更に、錠ケース２の後板２５の内面には前記リング５３が付勢力に抗して中央に形成した山部６１とその両端に係止部６２，６３を形成した板ばねにより形成される位置決め装置６が設置されている。
【００１３】
尚、本実施の形態では錠ケース２の寸法に合わせてスライドアーム５２，５２を配置する関係で鎌部材４の基端部における回転軸３の固着部に対して前方且つ下方に偏心した位置に形成した膨出部４３の両面に支軸４４，４４が対向して突設しているが、支軸４４，４４は鎌部材４の基端部における回転軸３の固着部よりも先端側にあればよく、また、鎌部材４の両側にスライドアーム５２，５２を配置したので安定した状態で施解錠操作を行うことが可能であるが、スライドアーム５２，５２を片側だけに設けた場合であっても充分に作動させることができる。
【００１４】
このように形成される本実施の形態は、図４及び図６、図７に示すようにスライド軸５１をスライド溝２４，２４に沿ってスライドさせるとスライダクランク機構５が作動して、鎌部材４を回転軸３を中心としてほぼ９０度の角度の範囲で反復回動するので先端の鎌部４２が図４に示すように錠ケース２の出没溝２３から出没するので突出時にラッチ状態を形成して例えば戸当り９に配置した係止部（図示せず）との間に７施錠を可能にし、図７に示すように没入時にはラッチ状態が解除されて解錠状態となる。
【００１５】
また、スライド軸５１をスライド溝２４，２４に沿ってスライドさせるとき、スライド軸５１に嵌装されているリング５３が位置決め装置６の中央に形成した山部６１の付勢力に抗してとその両端の係止部６２，６３に係止して解錠位置または施錠位置に停止した状態で保持されるので鎌部材４を確実に施錠状態または解錠状態位置に保持させておくことができる。
【００１６】
一方、位置決め装置６に所望の付勢力を有する板ばねを使用することにより前記位置決め効果を有効に発揮させるだけでなく、図４に示すように鎌部４２が錠ケース２の出没溝２３から突出した状態で設置した扉が閉まり、鎌部４２が戸当たり９などに衝ったとしても、鎌部４２はその鉤形の先端面が戸当たり９などに押されて回転軸３を中心として跳ね上げられて回転し、そのまま錠ケース２内に没入させてしまうことができるので誤って施錠位置で扉を閉成させても戸当たり９や鎌状１が損傷する心配がない。
【００１７】
図８乃至図１０は本実施の形態である鎌錠１を框扉７のような奥行の少ない縦框７１内に形成される空間７２へ設置する場合の一例を示すものであり、鎌錠１は、縦框７１の内壁７３に形成された溝４７から縦框７１内に形成される空間７２内に挿入されて、錠ケースの長手方向の両端に突設された環状の取付片２６，２６においてリング状のスペーサ８１，８１および前記鎌部材４の出没溝８２を形成した前板８３を介して縦框７１の前面側から取付けねじ８４，８４により固定される。
【００１８】
また、縦框７１の側壁７４，７４に形成された透窓７５，７５には長さ方向に往復動可能なスライド操作部片９１を有する操作基板９２，９２が互いの間に架設した締め付けねじ９４，９４により嵌装されているとともに、前記スライド操作部片８１の内側に形成されている連結穴９４，９４に前記スライダクランク機構５を作動させるためのスライド軸５１の中空部に貫通させた連結棒８５の両端部がそれぞれ連結されている。
【００１９】
従って、縦框７１の両側壁７４，７４に配置されている操作基板９２，９２上のスライド操作部片９１を長さ方向（本実施の形態では上下方向）にスライドさせると、スライド軸５１がスライダクランク機構５を作動させて、スライドリンク５２を介して鎌部材４を回転させ、その先端に形成されている鎌部４２が縦框７１の前面に面一に配置された前板８３の出没溝８２から出没して施錠或いは解錠状態を形成することができる。
【００２０】
このように本実施の形態は、近頃多様されているアルミ製で奥行の少ない縦框７１を有する框扉などにもきわめて容易に内装することができるものであり、また、構成もシンプルで製造が容易で安価に提供できるばかりか操作性、耐久性にも優れている。
【００２１】
加えて、スライダクランク機構５を構成するスライド軸５１の移動幅、スライドリンク５２の長さ、更には鎌部材４の形状などを変化させることによりバックセット、即ち、奥行、及びサムターンストローク、鎌部４２の突出長さなどを任意に設定可能であり、幅広い汎用性を発揮することができる。
【図面の簡単な説明】
【００２２】
【図１】本発明の好ましい実施の形態における施錠状態を示す側面図。
【図２】図１の正面図。
【図３】図１のＡ−Ａ線に沿う断面図。
【図４】図２のＢ−Ｂ線に沿う断面図。
【図５】図１の平面図。
【図６】施解錠状態の途中を示す図２のＢ−Ｂ線に沿う断面図。
【図７】解錠状態を示す図２のＢ−Ｂ線に沿う断面図。
【図８】図１に示した実施の形態の取り付け状態を示す縦断面図。
【図９】図１に示した実施の形態の取り付け状態を示す一部を切截した正面図。
【図１０】図１に示した実施の形態の取り付け状態を示す平面図。
【符号の説明】
【００２３】
１  鎌錠、  ２  錠ケース、  ３  回転軸、  ４  鎌部材、  ５ スライダクランク機構、  ２１  側板、  ２２  前板、  ２３  出没溝、  ４１  基端部、  ４２  鎌部、  ５１  スライ軸、  ５２  スライドアーム、  ７１  縦框、  ７２  空間
【図１】
2006009297.tif 000003
【図２】
2006009297.tif 000004
【図３】
2006009297.tif 000005
【図４】
2006009297.tif 000006
【図５】
2006009297.tif 000007
【図６】
2006009297.tif 000008
【図７】
2006009297.tif 000009
【図８】
2006009297.tif 000010
【図９】
2006009297.tif 000011
【図１０】
2006009297.tif 000012